(57)【要約】【目的】飲料選択釦が一瞬押釦された場合にも確実にシロップと希釈液が混合した飲料を供給することが可能な飲料供給装置を提供することを目的とする。【構成】飲料を選択する飲料選択釦が押釦されると、水ポンプ１２を駆動すると同時に水入口弁１１と飲用水弁１６を開き、水ポンプ１２で圧送した飲用水を水冷却コイル１３に通流させて冷やした冷水として飲用水管路１４、１７を通流させて希釈液ノズル１８から吐出する。その後、シロップ弁３７を開き、炭酸ガスボンベ３１から炭酸ガス管路３２を介して供給されている炭酸ガスの圧力でシロップタンク３３からシロップ管路３４に押し出されたシロップをシロップ冷却コイル３５で冷やしてシロップ管路３８を通流させてシロップノズル３９から吐出して飲料をカップＣに流下させる。【選択図】        図２
2008239166.tif 000002
【特許請求の範囲】
【請求項１】
シロップと希釈液とを混合して希釈した飲料を供給する飲料供給装置において、
押釦されると飲料供給信号を出力する飲料選択釦と、
前記シロップの流量を調節するシロップ弁と、
前記希釈液の流量を調節する希釈液弁と、
前記飲料選択釦の押釦時間が所定時間を下回った時、前記シロップ弁と前記希釈液弁とをそれぞれ予め設定されている時間開放する飲料吐出制御手段と、
を備えていることを特徴とする飲料供給装置。
【請求項２】
前記シロップの流量を計測するシロップ流量計と、
前記希釈液の流量を計測する希釈液流量計と、をさらに備え、
前記飲料吐出制御手段は、前記飲料選択釦が所定時間以上押釦されて前記シロップと前記希釈液とを混合して希釈した飲料を供給するとき、前記希釈液弁を前記シロップ弁より先に開いてから前記シロップ流量計および前記希釈液流量計の計測結果に基づいて前記シロップ弁および前記希釈液弁を開閉することにより前記シロップと前記希釈液とをそれぞれ所定量ずつ吐出させ、
前記飲料選択釦の押釦時間が所定時間を下回った時、前記シロップ弁と前記希釈液弁とをそれぞれ予め設定されている時間開放することを特徴とする請求項１に記載の飲料供給装置。
【発明の詳細な説明】
【技術分野】
【０００１】
本発明は、シロップと希釈液とを混合して希釈した飲料を供給する飲料供給装置に関するものである。
【背景技術】
【０００２】
従来より、飲料ディスペンサ（飲料供給装置）では濃縮したシロップと希釈液（飲用水または炭酸水）とをノズルから吐出して所定の比率（シロップ濃度）に希釈した飲料をカップ（飲料容器）に流下させる構造が一般的であり、シロップと希釈液を所定の比率でノズルへ配給するためにシロップの流量を調節するシロップ弁と希釈液の流量を調節する希釈液弁とシロップの流量を計測するシロップ流量計と希釈液の流量を計測する希釈液流量計と各弁の開閉を制御する制御部とを備えている。制御部は各流量計が出力する流量信号に基づいてシロップ弁および希釈液弁を開閉することによりノズルからのシロップ、希釈液の吐出量が所定の比率になるように制御している。
【０００３】
図９（ａ）に示すシロップと希釈液の吐出タイミングチャートのタイミングでシロップと希釈液を吐出させることにより所定の希釈比率の混合液をつくるようにしている。当該タイミングチャートは制御部が制御するシロップ弁および稀釈液弁の開閉をシロップ流量計および稀釈液流量計が流量を計測して出力するパルス信号のタイミングとパルス数で表している。飲料ディスペンサのシロップ流量計および希釈液流量計は計測した液体１ｍｌを１パルスとして液体流量に比例した数のパルス信号を出力し、シロップと希釈液は０．１秒間に３ｍｌ（３パルス）吐出するように流量調整されている。また、シロップが１回５ｍｌ（５パルス）吐出されてから次に吐出されるまでの間に希釈液が２５ｍｌ（２５パルス）吐出され、その間のシロップと希釈液との設定希釈比率を「１：５」としている。制御部は、シロップと希釈液との混合を開始するときは、希釈液を「先出量」の分、シロップより先にノズルから吐出させるために希釈液弁をシロップ弁より先に開くようにしている。即ち、制御部は、希釈液弁をシロップ弁より先に開き、希釈液流量計からのパルス信号を「９個」カウントした時点でシロップ弁を開いて、シロップ流量計からのパルス信号を「５個」カウントした時点でシロップ弁を閉じるようにしている。その間、制御部は、希釈液が単位時間当たり流量が一定となるように希釈液弁を連続的に開いている。
【０００４】
そして、制御部は、希釈液流量計からのパルス信号を「２５個」カウントする都度にシロップ弁を開き、シロップ流量計からのパルス信号を「５個」カウントした時点でシロップ弁を閉じることを繰り返し、飲料選択釦の押釦が解除されるとシロップパルスを「５個」カウントしてからシロップ弁を閉じ、希釈液パルスを「２５個」カウントしてから希釈液弁を閉じて飲料の供給を停止する。ここでは、シロップパルスを「２０個」、希釈液パルスを「１００個」カウントしているので、ノズルからカップに吐出されたシロップの総量は「２０ｍｌ」、希釈液の総量は「１００ｍｌ」となるので、カップ内にはシロップと希釈液との希釈比率「１：５」の飲料が「１２０ｍｌ」供給されていることになる（例えば、特許文献１参照）。
【特許文献１】特開２００１−２２５８９９号公報
【発明の開示】
【発明が解決しようとする課題】
【０００５】
このように、飲料ディスペンサでシロップと希釈液との混合を開始するときは、カップ内の底辺にシロップ比率が高い飲料が溜まるという混合バラツキをなくすため、また、飲料ノズルから吐出するシロップの飛び散りを防止するため、先ず、希釈液弁をシロップ弁より先に開いて、希釈液流量計からのパルス信号を「９個」カウントした時点で初めてシロップ弁を開いて、希釈液を「先出量」の分、シロップより先にノズルから吐出させるようにしている。また、ファミリーレストランなどのフリードリンク販売（供給）の場合には飲料選択釦の押釦および押釦の解除と連動させて利用客が希望する量の飲料供給が行われるようにしている。
【０００６】
しかしながら、このような飲料供給方法の場合、飲料選択釦が一瞬（例えば０．１秒程度）だけ押釦された場合には図９（ｂ）に示すように、希釈液のみしか供給されないという問題があった。この希釈液のみの供給はカップ内の飲料を薄めてしまうだけでなく、利用客に不快感を与える虞がある。
本発明は、上記実情に鑑みて、飲料選択釦が一瞬押釦された場合（所謂チョイ押し）にも確実にシロップと希釈液が混合した飲料を供給することが可能な飲料供給装置を提供することを目的とする。
【課題を解決するための手段】
【０００７】
上記目的を達成するため、本発明の請求項１に係る飲料供給装置は、シロップと希釈液とを混合して希釈した飲料を供給する飲料供給装置において、
押釦されると飲料供給信号を出力する飲料選択釦と、
前記シロップの流量を調節するシロップ弁と、
前記希釈液の流量を調節する希釈液弁と、
前記飲料選択釦の押釦時間が所定時間を下回った時、前記シロップ弁と前記希釈液弁とをそれぞれ予め設定されている時間開放する飲料吐出制御手段と、
を備えていることを特徴とする。
【０００８】
また、本発明の請求項２に係る飲料供給装置は、上述した請求項１において、前記シロップの流量を計測するシロップ流量計と、
前記希釈液の流量を計測する希釈液流量計と、をさらに備え、
前記飲料吐出制御手段は、前記飲料選択釦が所定時間以上押釦されて前記シロップと前記希釈液とを混合して希釈した飲料を供給するとき、前記希釈液弁を前記シロップ弁より先に開いてから前記シロップ流量計および前記希釈液流量計の計測結果に基づいて前記シロップ弁および前記希釈液弁を開閉することにより前記シロップと前記希釈液とをそれぞれ所定量ずつ吐出させ、
前記飲料選択釦の押釦時間が所定時間を下回った時、前記シロップ弁と前記希釈液弁とをそれぞれ予め設定されている時間開放することを特徴とする。
【発明の効果】
【０００９】
請求項１の発明によれば、飲料選択釦の押釦時間が所定時間を下回った時、シロップ弁と希釈液弁とをそれぞれ予め設定されている時間開放する飲料吐出制御手段を備えているので、飲料選択釦が一瞬押釦された場合（所謂チョイ押し）にも確実にシロップと希釈液が混合した飲料を供給することが可能な飲料供給装置を提供することができる。
また、請求項２の発明によれば、飲料吐出制御手段は、飲料選択釦が所定時間以上押釦されてシロップと希釈液とを混合して希釈した飲料を供給するとき、希釈液弁をシロップ弁より先に開いてからシロップ流量計および希釈液流量計の計測結果に基づいてシロップ弁および希釈液弁を開閉することによりシロップと希釈液とをそれぞれ所定量ずつ吐出させ、飲料選択釦の押釦時間が所定時間を下回った時、シロップ弁と希釈液弁とをそれぞれ予め設定されている時間開放するので、シロップと希釈液との混合を開始するときのカップ内の底辺にシロップ比率が高い飲料が溜まるという混合バラツキをなくすことができ、また、飲料ノズルから吐出するシロップの飛び散りを防止して、設定希釈比率の飲料を供給することができ、さらに、飲料選択釦が一瞬押釦された場合（所謂チョイ押し）にも確実にシロップと希釈液が混合した飲料を供給することが可能な飲料供給装置を提供することができる。
【発明を実施するための最良の形態】
【００１０】
以下に添付図面を参照して、本発明に係る飲料供給装置の好適な実施の形態について詳細に説明する。なお、この実施の形態によりこの発明が限定されるものではない。
（実施の形態１）
図１は本発明の実施の形態１である飲料ディスペンサ（飲料供給装置）１の外観図である。図１に示すように、飲料ディスペンサ１は、前面に開口を有するディスペンサ本体２と、ディスペンサ本体２の前面開口を開閉可能にする態様で該ディスペンサ本体２の前面の一側に支承された前扉３とを有し、前扉３の表面には、無炭酸飲料や炭酸飲料などの各種飲料を選択するときの入力手段である飲料選択釦４が配設してある。また、前扉３の内側下方には、飲料を吐出するノズルやチューブ式ポンプが配設され、その下方には飲料容器であるカップの置き台になるカップレスト５と、飛び散った飲料等を集めるドリップトレイ６が設けてあり、ディスペンサ本体２底部には、飲料ディスペンサ１を支え、高さ調整可能なレベリング調整脚である脚部７を備えている。
【００１１】
図２は、飲料ディスペンサ１の概要構成を示すブロック図である。飲料ディスペンサ１は水道から供給される飲用水（希釈液）またはカーボネータ（炭酸水製造装置）２４から供給される炭酸水（希釈液）と、シロップタンク３３から供給されるシロップとがそれぞれ希釈液ノズル１８、シロップノズル３９から吐出すると空中で衝突させて混合することにより所定の比率に希釈した飲料としてカップＣに流下させて飲料の供給を行う。この飲用水を冷却する水冷却コイル１３、シロップを冷却するシロップ冷却コイル３５および炭酸水を冷却して貯留するカーボネータ２４は、冷却水槽４１に貯留されている冷却水４２に浸かるように設置され、水冷却コイル１３、シロップ冷却コイル３５をそれぞれ通流する飲用水、シロップおよびカーボネータ２４に貯留されている炭酸水は冷却水４２との熱交換により冷やされる。また冷却水４２は冷凍装置４３の冷媒蒸発コイル４４を通流する液冷媒の蒸発熱で冷却され、冷却水攪拌モータ４５が駆動されると回転するプロペラで循環して水温が略０℃に保たれている。カーボネータ２４は、所定圧力で充満している炭酸ガス中に冷水を噴射して炭酸ガスを冷水に溶かし込んで炭酸水を製造する装置であり、炭酸ガスは炭酸ガスボンベ３１から炭酸ガス管路３２、２３を介して供給され、冷水は水ポンプ１２を駆動して水入口弁１１とカーボネータ給水弁２２を開いて水道から供給される飲用水を水冷却コイル１３に通流させて冷やして飲用水管路１４から分岐したカーボネータ給水管路２１から供給される。
【００１２】
ここで、無炭酸飲料を選択する飲料選択釦４（図１参照）が押釦されると、水ポンプ１２を駆動すると同時に水入口弁１１と飲用水弁（希釈液弁）１６を開き、水ポンプ１２で圧送した飲用水を水冷却コイル１３に通流させて冷やした冷水として飲用水管路１４、１７を通流させて希釈液ノズル１８から吐出する。その後、シロップ弁３７を開き、炭酸ガスボンベ３１から炭酸ガス管路３２を介して供給されている炭酸ガスの圧力でシロップタンク３３からシロップ管路３４に押し出されたシロップをシロップ冷却コイル３５で冷やしてシロップ管路３８を通流させてシロップノズル３９から吐出する。このようにして希釈液ノズル１８から吐出した飲用水とシロップノズル３９から吐出したシロップとを空中で衝突させて混合した無炭酸飲料がカップＣに流下する。このとき、飲用水管路１４から飲用水管路１７を通流して希釈液ノズル１８から吐出する飲用水は飲用水流量計（希釈液流量計）１５で流量が計測されて流量信号が飲料吐出制御部９０（図３参照）へ出力され、シロップ管路３４からシロップ管路３８を通流してシロップノズル３９から吐出するシロップはシロップ流量計３６で流量が計測されて流量信号が飲料吐出制御部９０へと出力される。
【００１３】
また、炭酸飲料を選択する飲料選択釦４が押釦されると、炭酸水弁（希釈液弁）２７を開き、カーボネータ２４で冷やされて貯留している炭酸水を炭酸ガス管路３２から分岐している炭酸ガス管路２３を介して炭酸ガスボンベ３１から供給されている炭酸ガスの圧力で押し出して炭酸水管路２５、２８を通流させて希釈液ノズル１８から吐出する。その後、シロップ弁３７を開き、炭酸ガスボンベ３１から炭酸ガス管路３２を介して供給されている炭酸ガスの圧力でシロップタンク３３からシロップ管路３４に押し出されたシロップをシロップ冷却コイル３５で冷やしてシロップ管路３８を通流させてシロップノズル３９から吐出する。このようにして希釈液ノズル１８から吐出した炭酸水とシロップノズル３９から吐出したシロップとを空中で衝突させて混合した炭酸飲料がカップＣに流下する。このとき、炭酸水管路２５から炭酸水管路２８を通流して希釈液ノズル１８から吐出する炭酸水は炭酸水流量計（希釈液流量計）２６で流量が計測されて流量信号が飲料吐出制御部９０へ出力され、シロップ管路３４からシロップ管路３８を通流してシロップノズル３９から吐出するシロップはシロップ流量計３６で流量が計測されて流量信号が飲料吐出制御部９０へと出力される。
【００１４】
図３は、飲料ディスペンサ１の制御ブロック図を示し、シロップと希釈液の吐出制御を行う飲料吐出制御部（飲料吐出制御手段）９０、無炭酸飲料や炭酸飲料などの各種飲料を選択する入力手段であり、押釦されると飲料供給信号を飲料吐出制御部９０に出力する飲料選択釦４、飲用水管路１４から飲用水管路１７を通流して希釈液ノズル１８から吐出する飲用水の流量を計測して流量信号を飲料吐出制御部９０に出力する飲用水流量計１５、炭酸水管路２５から炭酸水管路２８を通流して希釈液ノズル１８から吐出する炭酸水の流量を計測して流量信号を飲料吐出制御部９０に出力する炭酸水流量計２６、シロップ管路３４からシロップ管路３８を通流してシロップノズル３９から吐出するシロップの流量を計測して流量信号を飲料吐出制御部９０に出力するシロップ流量計３６、飲料吐出制御部９０が出力する信号で各々動作する、弁を開くと水道からの飲用水が導入される水入口弁１１、水道から導入された飲用水を圧送する水ポンプ１２、入口弁１１とともに弁を開くと水ポンプ１２が圧送する飲用水を希釈液ノズル１８から吐出させる飲用水弁１６、入口弁１１とともに弁を開くと水ポンプ１２が圧送する飲用水をカーボネータ２４に供給するカーボネータ給水弁２２、弁を開くとカーボネータ２４に貯留されている炭酸水を希釈液ノズル１８から吐出させる炭酸水弁２７、弁を開くと炭酸ガスボンベ３１から供給されている炭酸ガスの圧力でシロップタンク３３から押し出されたシロップをシロップノズル３９から吐出させるシロップ弁３７、飲料ディスペンサ１の制御データを記憶するメモリ９５を有している。
【００１５】
図４は、シロップと希釈液の吐出タイミングチャートを示し、タイミングチャートのタイミングでシロップと希釈液を吐出させることにより所定の希釈比率の混合液をつくるようにしている。尚、この実施の形態では、シロップに対して希釈液として飲用水と炭酸水を選択的に混合されることから、以下、説明の便宜上、飲用水と炭酸水をまとめて「希釈液」と呼び、飲用水弁１６と炭酸水弁２７をまとめて希釈液弁１６、２７と呼び、併せて飲用水流量計１５と炭酸水流量計２６をまとめて希釈液流量計１５、２６と呼ぶことにする。
【００１６】
当該タイミングチャートは飲料吐出制御部９０が制御するシロップ弁３７および希釈液弁１６、２７の開閉をシロップ流量計３６および希釈液流量計１５、２６から出力されるパルス信号のタイミングとパルス数で表している。また、この実施の形態では、シロップ流量計３６および希釈液流量計１５、２６は液体１ｍｌを１パルスとして液体流量に比例した数のパルス信号を出力し、シロップと希釈液は０．１秒間に３ｍｌ（３パルス）吐出するように流量調整されている。さらに、シロップが１回５ｍｌ（５パルス）吐出されてから次に吐出されるまでの間に希釈液が２５ｍｌ（２５パルス）吐出され、その間のシロップと希釈液との設定希釈比率を「１：５」としている。
【００１７】
飲料吐出制御部９０は、飲料選択釦４が押釦されてシロップと希釈液とを吐出して混合を開始するときは、図４（ａ）に示すように、希釈液を「先出量」の分、シロップより先に希釈液ノズル１８から吐出させるために、希釈液弁１６、２７をシロップ弁３７より先に開くようにしている。即ち、飲料吐出制御部９０は、飲料選択釦４が押釦されると、先ず、希釈液弁１６、２７をシロップ弁３７より先に開き、希釈液流量計１５、２６からのパルス信号を「９個」カウントした時点（所定時間）でシロップ弁３７を開き、シロップ流量計３６からのパルス信号を「５個」カウントした時点でシロップ弁３７を閉じるようにしている。その間、飲料吐出制御部９０は、希釈液が単位時間当たり流量が一定となるように希釈液弁１６、２７を連続的に開いている。
【００１８】
そして、飲料吐出制御部９０は、希釈液流量計１５、２６からのパルス信号を「２５個」カウントする都度にシロップ弁３７を開き、シロップ流量計３６からのパルス信号を「５個」カウントした時点でシロップ弁３７を閉じることを繰り返し、飲料選択釦４の押釦が解除されるとシロップパルスを「５個」カウントしてからシロップ弁３７を閉じ、希釈液パルスを「２５個」カウントしてから希釈液弁１６、２７を閉じて飲料の供給を停止する。ここでは、シロップパルスを「２０個」、希釈液パルスを「１００個」カウントしているので、シロップノズル３９からカップＣに吐出されたシロップの総量は「２０ｍｌ」、希釈液ノズル１８からカップＣに吐出された希釈液の総量は「１００ｍｌ」となるので、カップＣ内にはシロップと希釈液との希釈比率「１：５」の飲料が「１２０ｍｌ」供給されている。
【００１９】
ここで、飲料選択釦４の押釦時間が所定時間（例えば０．３秒、パルス数に換算すると９パルスに相当する時間）を下回った時（飲料選択釦４が０．１秒程度の一瞬だけ押釦される、所謂チョイ押しされた場合）には、飲料吐出制御部９０は、図４（ｂ）に示すように、希釈液弁１６、２７を予め設定されている時間（例えば０．３５秒）開放し、希釈液流量計１５、２６からのパルス信号を「９個」カウントした時点でシロップ弁３７を開き、予め設定されている時間（例えば０．３５秒）経過すると希釈液弁１６、２７を閉じると同時にシロップ弁３７を閉じるようにする。このように飲料選択釦４が所謂チョイ押しされた場合にも、カップＣには希釈液「約１１ｍｌ」に「約２ｍｌ」のシロップが混合した「約１３ｍｌ」の飲料が供給されている。
【００２０】
以上説明したように、この実施の形態１の飲料供給装置の構成によれば、押釦されると飲料供給信号を出力する飲料選択釦４と、シロップの流量を計測するシロップ流量計３６と、シロップの流量を調節するシロップ弁３７と、希釈液の流量を計測する希釈液流量計１５、２６と、希釈液の流量を調節する希釈液弁１６、２７と、飲料選択釦４が所定時間以上押釦されてシロップと希釈液とを混合して希釈した飲料を供給するとき、希釈液弁１６、２７をシロップ弁３７より先に開いてからシロップ流量計３６および希釈液流量計１５、２６の計測結果に基づいてシロップ弁３７および希釈液弁１６、２７を開閉することによりシロップと希釈液とをそれぞれ所定量ずつシロップノズル３９および希釈液ノズル１８からカップＣに吐出させ、飲料選択釦４の押釦時間が所定時間を下回った時、シロップ弁３７と希釈液弁１６、２７とをそれぞれ予め設定されている時間開放する飲料吐出制御部９０とを備えているので、シロップと希釈液との混合を開始するときのカップＣ内の底辺にシロップ比率が高い飲料が溜まるという混合バラツキをなくすことができ、また、ノズルから吐出するシロップの飛び散りを防止して、設定希釈比率の飲料を供給することができ、さらに、飲料選択釦４が一瞬押釦された場合（所謂チョイ押し）にも確実にシロップと希釈液が混合した飲料を供給することが可能な飲料ディスペンサ１を提供することができ、利用客に不快感を与えることがなくなる。
（実施の形態２）
次に、この発明の実施の形態２について図５を参照して説明する。実施の形態１では、飲料ディスペンサ１は、シロップノズル３９から吐出したシロップと希釈液ノズル１８から吐出した希釈液とを空中で衝突させて混合された飲料をカップＣに流下させていたが、この実施の形態２では、飲料ディスペンサ１０でカップＣに飲料を吐出するとき、シロップ弁３７と飲用水弁１６または炭酸水弁２７を開いてシロップと飲用水または炭酸水をマルチノズル４０に供給し、供給されたシロップと飲用水または炭酸水はその内部で混合されて希釈された飲料としてカップＣに流下する。
【００２１】
図６は、実施の形態２のシロップと希釈液の吐出タイミングチャートを示している。飲料選択釦４が押釦されてシロップと希釈液との混合を開始するとき、図６（ａ）に示すように、希釈液を「先出量」の分、シロップより先に供給するために、先ず稀釈液弁１６、２７をシロップ弁３７より先に開き、希釈液流量計１５、２６からのパルス信号を「９個」カウントした時点でシロップ弁３７を開いて、シロップ流量計３６からのパルス信号を「５個」カウントした時点でシロップ弁３７を閉じるようにしている。そして、希釈液流量計１５、２６からのパルス信号を「２５個」カウントする都度にシロップ弁３７を開き、シロップ流量計３６からのパルス信号を「５個」カウントした時点でシロップ弁３７を閉じることを繰り返し、飲料選択釦４の押釦が解除されるとシロップパルスを「５個」カウントしてからシロップ弁３７を閉じ、希釈液パルスを「２５個」カウントしてから希釈液弁１６、２７を閉じて飲料の供給を停止する。
【００２２】
ここで、飲料選択釦４の押釦時間が所定時間（例えば０．３秒、パルス数に換算すると９パルスに相当する時間）を下回った時（飲料選択釦４が０．１秒程度の一瞬だけ押釦される、所謂チョイ押しされた場合）には、図６（ｂ）に示すように、希釈液弁１６、２７を予め設定されているパルス数（例えば１５パルス、時間に換算すると０．５秒に相当するパルス数）開放し、希釈液流量計１５、２６からのパルス信号を「９個」カウントした時点でシロップ弁３７を開き、シロップ流量計３６からのパルス信号を「３個」カウントした時点でシロップ弁３７を閉じ、希釈液弁１６、２７はシロップ弁３７を閉じてからの希釈液流量計１５、２６からのパルス信号「３個」経過してから閉じる。このように飲料選択釦４が所謂チョイ押しされた場合にも、カップＣには希釈液「１５ｍｌ」に「３ｍｌ」のシロップが混合したシロップと希釈液との希釈比率「１：５」の飲料が「１８ｍｌ」供給されている。
【００２３】
以上説明したように、飲料選択釦４の押釦時間が所定時間を下回った時、シロップ弁３７と希釈液弁１６、２７とをそれぞれ予め設定されている時間開放するようにしているので、飲料選択釦４が一瞬押釦された場合（所謂チョイ押し）にも確実にシロップと希釈液が混合した飲料を供給することが可能な飲料ディスペンサ１０を提供することができ、利用客に不快感を与えることがなくなる。また、シロップ弁３７を閉じた後に希釈液弁１６、２７を閉じるようにしているので、マルチノズル４０の内部に残留しているシロップを希釈液が洗い流し、マルチノズル４０内部に希釈液で希釈されたシロップが残留することを防ぐことができる。
（実施の形態３）
次に、この発明の実施の形態３について図７を参照して説明する。実施の形態１および実施の形態２では、シロップと希釈液とを混合して希釈した飲料を供給するとき、シロップ流量計３６および希釈液流量計１５、２６の計測結果に基づいてシロップ弁３７および希釈液弁１６、２７を開閉することによりシロップと希釈液とをそれぞれ所定量ずつノズルからカップＣに吐出させて設定希釈比率の飲料を供給するようにしていたが、この実施の形態３の飲料ディスペンサ５０では、その内部を通流する液体の流量を調整するフローレギュレータ（流量調整器）５１、５２、５３を飲用水管路１４、１７、炭酸水管路２５、２８、シロップ管路３４、３８に配設し、フローレギュレータ５１、５２、５３で設定希釈比率（例えばシロップと希釈液との希釈比率「１：５」）の流量に調整したシロップと希釈液とをそれぞれ所定量ずつノズルからカップＣに吐出させて飲料を供給するようにしている。
【００２４】
図８は、実施の形態３のシロップと希釈液の吐出タイミングチャートを示している。飲料選択釦４が押釦されてシロップと希釈液との混合を開始するときは、図８（ａ）に示すように、希釈液を「先出量」の分、シロップより先に供給するために、先ず、稀釈液弁１６、２７をシロップ弁３７より先に開き、稀釈液弁１６、２７を開いてから０．３秒経過した時点でシロップ弁３７を開くようにしている。そして、飲料選択釦４の押釦が解除されるとシロップ弁３７を閉じ、シロップ弁３７を閉じてから０．１秒経過すると希釈液弁１６、２７を閉じて、マルチノズル４０の内部に残留しているシロップを希釈液が洗い流して飲料の供給を停止する。
【００２５】
ここで、飲料選択釦４の押釦時間が所定時間（例えば０．３秒）を下回った時（飲料選択釦４が０．１秒程度の一瞬だけ押釦される、所謂チョイ押しされた場合）には、図８（ｂ）に示すように、希釈液弁１６、２７を開き、希釈液弁１６、２７を開いてから予め設定されている時間（例えば０．３秒）経過した時点でシロップ弁３７を０．１秒間開放し、希釈液弁１６、２７はシロップ弁３７を閉じてから０．１秒後に閉じる。このように飲料選択釦４が所謂チョイ押しされた場合にも、カップＣには希釈液にシロップを混合した飲料を供給することができる。
【図面の簡単な説明】
【００２６】
【図１】本発明の実施の形態１における飲料ディスペンサの外観図である。
【図２】図１に示した飲料ディスペンサの概要構成を示すブロック図である。
【図３】図１に示した飲料ディスペンサの制御ブロック図である。
【図４】図１に示した飲料ディスペンサの吐出タイミングチャートである。
【図５】本発明の実施の形態２における飲料ディスペンサの概要構成を示すブロック図である。
【図６】図５に示した飲料ディスペンサの吐出タイミングチャートである。
【図７】本発明の実施の形態３における飲料ディスペンサの概要構成を示すブロック図である。
【図８】図７に示した飲料ディスペンサの吐出タイミングチャートである。
【図９】従来の飲料ディスペンサの吐出タイミングチャートである。
【符号の説明】
【００２７】
１      飲料ディスペンサ（飲料供給装置）
２      ディスペンサ本体
４      飲料選択釦
１０      飲料ディスペンサ（飲料供給装置）
１１      水入口弁
１２      水ポンプ
１５      飲用水流量計
１６      飲用水弁
１８      希釈液ノズル
２２      カーボネータ給水弁
２４      カーボネータ
２６      炭酸水流量計
２７      炭酸水弁
３６      シロップ流量計
３７      シロップ弁
３９      シロップノズル
４０      マルチノズル
５０      飲料ディスペンサ（飲料供給装置）
９０      飲料吐出制御部（飲料吐出制御手段）
９５      メモリ
Ｃ      カップ
【図１】
2008239166.tif 000003
【図２】
2008239166.tif 000004
【図３】
2008239166.tif 000005
【図４】
2008239166.tif 000006
【図５】
2008239166.tif 000007
【図６】
2008239166.tif 000008
【図７】
2008239166.tif 000009
【図８】
2008239166.tif 000010
【図９】
2008239166.tif 000011